(57)【要約】  受信機は、受信マルチパス信号のパスに関連するシンボルを各フィンガが提供する複数のフィンガと、シンボルが利用可能であるときにシンボルを合成するために活動状態に入る最大比合成器（ＭＲＣ）とを備える。
2008527910.tif 000002
【特許請求の範囲】
【請求項１】
受信マルチパス信号のパスに関連するシンボルを各フィンガが提供する複数のフィンガと、
前記シンボルが利用可能であるときに前記シンボルを合成するために活動状態に入る最大比合成器（ＭＲＣ）と、
を備える、受信機。
【請求項２】
前記最大比合成器（ＭＲＣ）が、
前記複数のフィンガから前記シンボルを受け取り、前記フィンガの少なくとも１つからのシンボルが処理用に準備ができたときに通知を提供するように構成されたインタフェースと、
前記インタフェースからの前記通知に基づいて選択的に活動化される合成器であって、活動化されたときだけ、前記シンボルのうちの特定のシンボルを処理する合成器と、
を備える、請求項１に記載の受信機。
【請求項３】
前記インタフェースが、前記フィンガからのシンボルが処理用に準備ができたときを通知するシンボル・マークを受け取り、
前記インタフェースが、前記シンボル・マークを評価するためのプライオリティ・エンコーダを備える、請求項２に記載の受信機。
【請求項４】
前記プライオリティ・エンコーダが、前記合成器に送る、複数のチャネルのうちの個々のチャネルに関連するシンボルを、前記シンボル・マークの評価に従って選択する、請求項３に記載の受信機。
【請求項５】
前記プライオリティ・エンコーダが、与えられたチャネルに関するすべてのシンボル・マークの論理「ＯＲ」演算を実行することによって、前記シンボル・マークを評価し、前記「ＯＲ」演算の結果が真であるチャネルに関するシンボル・データを転送する、請求項４に記載の受信機。
【請求項６】
前記最大比合成器（ＭＲＣ）が、チップレートよりも大きいクロックレートを有する、請求項１に記載の受信機。
【請求項７】
前記受信機が、符号分割多元接続（ＣＤＭＡ）受信機である、請求項１に記載の受信機。
【請求項８】
受信機で使用する方法であって、
マルチパス信号の複数のチャネルのうちの少なくとも１つに関するデータが利用可能であるときに通知を提供するステップと、
前記通知に応答して、前記複数のチャネルのうちの少なくとも１つに関する、前記マルチパス信号の複数のパスのうちの個々のパスからの前記データをデローテートおよび合成するステップと、
を含む、前記方法。
【請求項９】
前記デローテートおよび合成するステップが、前記データの前記デローテートおよび合成を実行するための合成論理回路を選択的に活動化するステップを含む、請求項８に記載の方法。
【請求項１０】
シンボル・マーク保留信号に基づいて、前記複数のチャネルのうちのどれを処理するかを決定するステップをさらに含む、請求項９に記載の方法。
【請求項１１】
前記複数のチャネルからのデータが利用可能ではないことを通知するステップと、
合成論理回路を非活動化するステップと、をさらに含む、請求項９に記載の方法。
【請求項１２】
前記デローテートおよび合成するステップが、処理されるべき前記複数のチャネルのうちの個々のチャネルからのデータがない旨の通知を受け取るまで、前記データをデローテートおよび合成することを継続する、請求項８に記載の方法。
【請求項１３】
スペクトル拡散受信機が、符号分割多元接続（ＣＤＭＡ）受信機である、請求項８に記載の方法。
【発明の詳細な説明】
【技術分野】
【０００１】
本発明は、符号分割多元接続（ＣＤＭＡ）およびスペクトル拡散無線ネットワークと共に使用する受信機構成に関する。
【背景技術】
【０００２】
符号分割多元接続（ＣＤＭＡ）は、いわゆる第２世代（２Ｇ）および第３世代（３Ｇ）無線通信で使用される複数のプロトコルのいくつかに関連するスペクトル拡散技術の一変形である。ＣＤＭＡは、多数の信号（チャネル）が単一の物理伝送チャネルを占有することを可能にし、それによって帯域幅を最適化する多重化の一形態である。これらの信号は、同じ周波数帯域を使用して送信され、異なる拡散符号を使用して各信号を送信することによって区別される。
【０００３】
実際問題として、送信ＣＤＭＡ信号の複数の遅延バージョンが、ＣＤＭＡ受信機に到着する。例えば、信号の１つのバージョンは、基地局からＣＤＭＡ受信機まで直接経路を進むことによって到着するかもしれず、一方、別のバージョンは、その信号が到着前に建物で反射されたせいで、遅れて到着するかもしれない。そのため、受信信号は、マルチパス信号としても知られ、送信信号の複数の遅延バージョンを含んでいる。送信信号の各バージョンは、パスとして知られる。
【０００４】
復号中、符号分割多元接続（ＣＤＭＡ）受信機は、受信マルチパス信号を処理して、その中に含まれる様々なパスを同定する。サーチャ（ｓｅａｒｃｈｅｒ）によって実行されるこの機能は、従来、受信サンプルをスクランブル符号の異なるオフセットに対して相関させることによって実施される。相関器または相関を実行するプロセッサは、スペクトル拡散信号を変調することができ、且つ／または基準に対する入来信号の類似性を測定することができる。何れの場合も、サーチャは、異なる時間遅延における相関出力のベクトルである信号プロフィールを生成する。
【０００５】
この信号プロフィールは、様々なパスが同定される、マルチパス信号の遅延を決定するために検査される。信号プロフィールから獲得された情報は、ＣＤＭＡ受信機のレイク（ＲＡＫＥ）受信機部の個々のフィンガを、マルチパス信号の同定されたパスにドロップ（ｄｒｏｐ）するために使用される。フィンガは一般に、ベースバンド相関器として実施される。各フィンガは、（上述された拡散符号を作用させて）パス上を搬送される様々なチャネルについての特定のパスに関するシンボル出力を提供する。同じチャネルの異なるパスを表す様々なフィンガからのそれらのシンボルは、最大比合成器（ＭＲＣ：Ｍａｘｉｍａｌ  Ｒａｔｉｏ  Ｃｏｍｂｉｎｅｒ）を使用して、デローテート（ｄｅｒｏｔａｔｅ）および合成され、そのチャネルに関する受信シンボルの推定を形成する。様々なパスの合成は、そのチャネルに関する受信信号対雑音比（ＳＮＲ）の改善をもたらすことができる。
【０００６】
しかし、異なるチャネルは、異なる拡散率（ＳＦ：Ｓｐｒｅａｄｉｎｇ  Ｆａｃｔｏｒ）を有する。ＣＤＭＡシステム内では、拡散率（ＳＦ）は、データ・シンボル当たり必要とされるチップ数のことである。拡散率が低くなるほど、データレートは高くなる。例えば、１つのチャネルは、２５６の拡散率を有することができ、一方、別のチャネルは、４の拡散率を有することができる。その結果、異なるクロックサイクルの間に、異なる数のチャネルが、最大比合成器（ＭＲＣ）内で合成されなければならない。
【０００７】
従来の最大比合成器（ＭＲＣ）は、合成される様々なチャネルに関する拡散率（ＳＦ）の最小公倍数で、合成器論理回路を動作させる。例えば、システムが、４から５１２の範囲にわたる拡散率を有する場合、合成器論理回路は、４チップ毎に動作させられる。合成器論理回路が動作する毎に、ＭＲＣは、各チャネルを検査して、そのチャネルについての同定されたパスからのシンボルが、デローテートおよび合成されるべきかを決定する。いくつかのチップの間は、処理は必要とされない。しかし、その他のチップの間は、２つ以上または全部のチャネルからのシンボルが、デローテートおよび合成される必要がある。
【０００８】
処理されるチャネルの数が様々なであるため、合成論理回路を実施するのに、多数の並列構成ハードウェアが必要とされる。そのような設計は、ゲート数および電力消費に関してコストが掛かり得る。上述された短所を克服する、ＣＤＭＡ受信機と共に使用するためのハードウェア効率の良い最大比合成器（ＭＲＣ）を提供することが有利である。
【発明の開示】
【０００９】
本発明の原理によれば、受信機は、受信マルチパス信号のパスに関連するシンボルを各フィンガが提供する複数のフィンガと、シンボルが利用可能であるときにシンボルを合成するために活動化する最大比合成器（ＭＲＣ）とを備える。
【００１０】
例示的な一実施形態では、受信機は、符号分割多元接続（ＣＤＭＡ）受信機であり、複数のフィンガと、インタフェースと、最大比合成器（ＭＲＣ）とを備える。各フィンガは、パス上を搬送される様々なチャネルについての受信マルチパス信号のパスに関連するシンボルを提供し、インタフェースは、フィンガからのシンボルが処理用に準備ができたときに通知をＭＲＣに提供し、その場合、ＭＲＣは、同じチャネルに関連するフィンガからのそのようなシンボルを合成するために活動化する。例示的には、インタフェースは、ＭＲＣによる処理のために異なるチャネルを選択するプライオリティ・エンコーダ（ｐｒｉｏｒｉｔｙ  ｅｎｃｏｄｅｒ）を含んでいる。さらに、ＭＲＣは、チップレートよりも大きいクロックレートで動作するように構成することができる。
【００１１】
別の例示的な実施形態では、受信機は、受信マルチパス信号の異なるパスからのデータが利用可能であるときに異なるパスを処理する。特に、受信機は、受信マルチパス信号の異なるパスからのデータが処理に利用可能であることを検出し、検出時に、受信マルチパス信号の異なるパスからのデータを合成する。
【００１２】
別の例示的な実施形態では、受信マルチパス信号の異なるパスからの信号を合成するための合成論理回路は、異なるパスからの信号が処理用に準備ができたことの検出時に、選択的に活動化される。異なるパスからの信号が処理用に準備ができていない場合、合成論理回路は、非活性化される。
【００１３】
本発明の好ましい実施形態が、添付の図面を参照しながら、以下でより詳細に説明される。
【発明を実施するための最良の形態】
【００１４】
本発明の概念以外は、図に示される要素はよく知られており、詳細には説明しない。また、ユニバーサル移動体通信システム（ＵＭＴＳ）ベースの無線通信システムに精通していることが前提とされており、本明細書ではそれについて詳細には説明しない。例えば、本発明の概念以外は、スペクトル拡散送信および受信、セル（基地局（ｂａｓｅ  ｓｔａｔｉｏｎ））、ユーザ機器（ＵＥ：Ｕｓｅｒ  Ｅｑｕｉｐｍｅｎｔ）、ダウンリンク（下り）チャネル、アップリンク（上り）チャネル、サーチャ（ｓｅａｒｃｈｅｒ）、合成器、およびレイク（ＲＡＫＥ）受信機はよく知られており、本明細書では詳細には説明しない。加えて、本発明の概念は、従来のプログラミング技法を使用して実施することができ、そのため、本明細書ではそれについて説明しない。最後に、図内の同じ番号は、原則同様の要素を表す。
【００１５】
本明細書で開示される本発明の構成によれば、最大比合成器（ＭＲＣ）または少なくともその一部は、受信マルチパス信号の複数のパスからのシンボルをデローテートおよび合成するために、選択的に活動化される。ＭＲＣまたは少なくともその一部を選択的に活動化することによって、合成回路数の削減が、ＭＲＣ内において達成することができる。
【００１６】
図１は、本明細書で開示される本発明の構成による受信機１００を示す概略図である。一実施形態では、受信機は、符号分割多元接続（ＣＤＭＡ）受信機である。図１に示されるように、受信機１００は、受信アナログ信号をそのディジタル表現に変換するためのアナログ／ディジタル変換器１０５を備える。結果のディジタル信号は、整合（ｍａｔｃｈｅｄ）フィルタ１１０に提供される。
【００１７】
フィルタリングされた信号は、タップ付遅延線１１５に提供される。タップ付遅延線は、受信マルチパス信号のサンプルを受け取り、その異なる遅延バージョンを提供する。タップと呼ばれるタップ付遅延線１１５の出力は、セル・サーチ１２０と、サーチャ１２５と、フィンガ１３０Ａ〜１３０Ｎの各々とに、サンプルを供給する。タップ付遅延線１１５は、分解能に関してサブチップでも良い。各タップは、受信マルチパス信号の異なる遅延バージョンの特定の１つに関する出力として、サンプルを提供する。
【００１８】
セル・サーチ・システム１２０に提供される信号は、タイミング情報を含んでいる。より詳細には、信号は、合成同期チャネル（ＳＣＨ：Ｓｙｎｃｈｒｏｎｉｚａｔｉｏｎ  Ｃｈａｎｎｅｌ）と、共通パイロット・チャネル（ＣＰＩＣＨ：Ｃｏｍｍｏｎ  Ｐｉｌｏｔ  Ｃｈａｎｎｅｌ）とを含んでいる。セル・サーチ・システム１２０は、提供された信号を使用してタイミング情報を決定し、スロット同期、フレーム同期、およびスクランブル符号決定などの動作を実行する。
【００１９】
スクランブル符号生成器１３５は、サーチャ１２５およびフィンガ１３０Ａ〜１３０Ｎによって必要とされる決定されたスクランブル符号を提供する。一実施形態では、スクランブル符号生成器１３５は、スクランブル符号を動的に生成する。例えば、当技術分野で知られているように、スクランブル符号生成器は、スクランブル符号を生成するために、スクランブル符号当たり１つの、ハードウェア実装された線形フィードバック・シフト・レジスタ（ＬＦＳＲ：Ｌｉｎｅａｒ  Ｆｅｅｄｂａｃｋ  Ｓｈｉｆｔ  Ｒｅｇｉｓｔｅｒ）を利用する。ＬＦＳＲは、各チップ用に生成された新しいスクランブル符号チップ値を用いて、スクランブル符号を動的または「同時（オン・ザ・フライ）」に生成する。（スクランブル符号は、ＵＭＴＳフレーム（３８４００チップ）をカバーし、３８４００個のチップ値を含んでいる）。別の実施形態では、スクランブル符号生成器１３５は、セル・サーチ・システム１２０によって決定されたスクランブル符号が保存されたメモリである。従って、スクランブル符号生成器１３５は、スクランブル符号の３８４００個のチップ値を保存するための随伴論理回路を有するメモリなど、メモリまたはメモリ・ブロックとして実装することができる。（各スクランブル符号チップ値が、同相（Ｉ）および直交（Ｑ）成分をさらに含んでいることに留意されたい）。
【００２０】
サーチャ１２５は、受信マルチパス信号内の様々なパスのプロフィールを獲得し、ロケーションを同定するために、スクランブル符号生成器１３５から獲得したスクランブル符号を使用して、受信マルチパス信号を相関させる。
【００２１】
サーチャ１２５によって決定された、受信マルチパス信号の異なるパスを抽出するために、フィンガ１３０Ａ〜１３０Ｎの各々が割り当てられる。フィンガ１３０Ａ〜１３０Ｎは、拡散符号生成器１４０によって提供された拡散符号を使用して、様々なパスを処理する。各フィンガは、処理されるパス上を搬送されるパイロット・チャネルに関するパイロット・データを、処理されるパス上を搬送されるデータ・チャネルに関するシンボル・データおよびシンボル・マークと共に提供する。タップ付遅延線１１５の使用の結果として、フィンガ１３０Ａ〜１３０Ｎの出力が、時間的に整列されることに留意されたい。
【００２２】
容易に分かるように、信号をフィンガ１３０Ａ〜１３０Ｎに提供するための他のより従来的な機構が使用される場合、最大比合成器（ＭＲＣ）１４５に提供される前にフィンガ出力が互いに時間的に整列させられることを保証するため、遅延機構が、各フィンガ１３０Ａ〜１３０Ｎそれぞれの出力において組み込まれることができる。それとは関係なく、（以下でさらに説明される）本発明の原理によれば、ＭＲＣ１４５は、ＣＰＩＣＨ信号を使用して、各フィンガ１３０Ａ〜１３０Ｎから受け取られたマルチパス信号のパスからのシンボルをデローテートする。ＭＲＣ１４５は、プロセッサ・インタフェース１５０に提供される構成的合成信号（ｃｏｎｓｔｒｕｃｔｉｖｅｌｙ  ｃｏｍｂｉｎｅｄ  ｓｉｇｎａｌ）を生成する。
【００２３】
プロセッサ・インタフェース１５０を介した受信機１００の様々な構成要素との間の通信を容易にするため、プロセッサ（図示されず）を含められることができる。従って、例えば、様々なフィンガ１３０Ａから１３０Ｎは、サーチャ１２５によって決定された、受信マルチパス信号の異なるパスに割り当てられることができる。
【００２４】
図２は、図１のＣＤＭＡ受信機と共に使用され得るＭＲＣ１４５の例示的な一実施形態を示す概略図である。ＭＲＣ１４５は、１つまたは複数の集積回路および／またはディスクリート構成要素として実装することができる。例えば、ＭＲＣ１４５は、コントローラ、マイクロプロセッサ、ディジタル信号プロセッサ（ＤＳＰ）、特定用途向け集積回路（ＡＳＩＣ）、および／またはフィールド・プログラマブル・ゲート・アレイ（ＦＰＧＡ）を含むことができる。示されるように、ＭＲＣ１４５は、インタフェース２０５と、合成器２１０と、複数のコントローラ２１５とを備え、複数のコントローラ２１５は、Ｎ個のコントローラ２１５−１から２１５−Ｎを含んでいる。
【００２５】
インタフェース２０５は、ＣＤＭＡ受信機内のレイク受信機の複数の異なるフィンガ（例えば、図１のフィンガ１３０Ａなど）から、データを受け取る。一実施形態では、ＣＤＭＡ受信機は、６つのフィンガを含んでいる。しかし、本発明は、使用されるフィンガの数によって限定されることは意図されていない。何れの場合でも、１２のチャネルに関するデータが、６つのフィンガから受け取られることができる。ＵＭＴＳ  ３Ｇ（第３世代）規格では、可能な同時チャネルの最大数は、１２である。従って、インタフェース２０５は、１２のパイロット・チャネルに関するパイロット・チャネル・データ２２０と、１２のデータ・チャネル用のシンボル・データ２２５と、１２のデータ・チャネルに関するシンボル・マーク２３０とを、フィンガから受け取る。
【００２６】
シンボル・マーク２３０は、ＭＲＣ１４５への、シンボルが利用可能になったときの標識である。言い換えると、シンボル・マークは、有効なシンボルが受け取られたときをＭＲＣ１４５に通知する。与えられたチャネルに関するシンボル・マークは、そのシンボルに関連する相関出力をレイク（ＲＡＫＥ）受信機が計算した後に有効になる。例示的には、チャネルの拡散率（ＳＦ）が２５６チップである場合、そのチャネルのシンボル・マークは、２５６チップのすべてに有効なシンボルが存在することを示す。一般に、シンボル・マークは、特定のチャネルに対応する単一のビットである。そのビットは、チャネル上に有効なシンボルが存在すること、または存在しないことを示すために、ハイ（高）またはロー（低）に設定することができる。
【００２７】
インタフェース２０５は、プライオリティ・エンコーダ２７５をさらに備える。プライオリティ・エンコーダ２７５は、様々なチャネルに関するシンボル・マークを分析するように構成される。この分析から、プライオリティ・エンコーダ２７５は、あるとすれば、様々なチャネルに関するどのシンボル・データ２２５が、処理のために合成器２１０に転送されるべきかを決定する。特に、プライオリティ・エンコーダ２７５は、シンボルが与えられたチャネル上に存在するときを通知する、各チャネル用のシンボル・レディ・フラグ（図示されず）を計算する。チャネル用のシンボル・レディ・フラグは、６つのフィンガの各々からのチャネルに関する６つのシンボル・マークすべての「ＯＲ（論理和）」として決定される。従って、各チャネルに１つの、１２のシンボル・レディ・フラグが、評価されることができる。６つのフィンガという文脈で本発明の概念が説明されたが、本発明の概念は、そのようには限定されず、任意の数のフィンガに適用される。
【００２８】
インタフェース２０５は、合成器２１０が処理を終了したときに通知を受け、さらなるデータを受け取る準備ができる。合成器２１０から提供される合成器完了信号（ｃｏｍｂｉｎｅｒ  ｄｏｎｅ  ｓｉｇｎａｌ）２３５が、この通知を提供する。合成器完了信号２３５が「真」である場合、インタフェース２０５は、１２のチャネルの各々のシンボル・レディ・フラグを検査する。シンボル・レディ・フラグのどれかが、処理用のデータが存在することを示す場合、インタフェース２０５は、「真（ｔｒｕｅ）」の合成器許可信号（ｃｏｍｂｉｎｅｒ  ｇｏ  ｓｉｇｎａｌ）２４０を合成器２１０に提供する。インタフェース２０５は、６つのパスに関するデータを一度に合成器２１０に提供する。示されるように、合成器２１０は、６つのパスに関するパイロット・チャネル・データ２４５と、６つのパスに関するシンボル・データ２５０とを受け取る。
【００２９】
特に、インタフェース２０５は、必要に応じて、有効なシンボルを選択的に合成器２１０に送る。例えば、チャネル１に対応するシンボル・レディ・フラグが、有効なシンボルが存在することを示している場合、インタフェース２０５は、チャネル１に関するシンボルを合成器２１０に送る。チャネル２に関するシンボル・レディ・フラグが、有効なシンボルがチャネル２上に存在することを示している場合、インタフェース２０５は、チャネル２に関するシンボルを合成器２１０に送り、以降も同様である。インタフェース２０５から合成器２１０への出力は、インタフェース２０５内に配置されたプライオリティ・マルチプレクサ（図示されず）から送られる。
【００３０】
本発明の原理によれば、合成器２１０は、「真」の合成器許可信号２４０を検出した後、入来チャネルからのシンボルをデローテートおよび合成する。合成器２１０は、合成器許可信号２４０を監視するための状態機械を含んでいる。従って、合成器２１０は、合成器許可信号２４０が「偽（ｆａｌｓｅ）」であるとき、非活動的であることができ、合成器許可信号２４０が「真」であるとき、活動的になることができる。従って、合成器許可信号２４０が「真」であるとき、合成器２１０は活動化される。その時点で、合成器完了信号２３５は、「偽」に設定される。合成器２１０は、任意の受信シンボル・データ２５０をデローテートおよび合成する。インタフェース２０５から合成器２１０に提供されるシンボル・マーク保留信号（ｓｙｍｂｏｌ  ｍａｒｋ  ｐｅｎｄｉｎｇ  ｓｉｇｎａｌ）２５５は、どのチャネルが有効なシンボル・データ２５０を有し、デローテートおよび合成を必要としているかを示す。合成器２１０が処理を終了したとき、合成器完了信号２３５が「真」に変更され、それによって、合成器２１０がさらなるデータを処理できることをインタフェース２０５に通知する。
【００３１】
シンボル出力データ２６０が、合成器２１０から複数のコントローラ２１５に提供される。シンボル・レディ信号２６５が、合成器２１０から提供され、出力の準備ができたことを通知する。合成器２１０はまた、コントローラ２１５−１から２１５−Ｎのうちのどの１つまたは複数のコントローラが、シンボル出力データ２６０を処理できるかを示すアドレス信号２７０も提供する。シンボル・レディ信号２６５およびシンボル・アドレス信号２７０は、制御論理回路（図示されず）に提供される。制御論理回路は、シンボル・アドレスによって決定された、コントローラ２１５−１から２１５−Ｎのうちのどの１つまたは複数のコントローラが、シンボルを受け取るかを決定する。従って、シンボル・アドレス信号２７０によって示された、コントローラ２１５−１から２１５−Ｎのうちの特定のコントローラが、受信シンボルを処理することができ、示されるように、シンボル・バッファ出力およびシンボル数データ出力を提供することができる。
【００３２】
言及されたように、出力シンボルを受け取る特定のコントローラ２１５−１から２１５−Ｎは、制御論理回路によって解釈されたシンボル・アドレス２７０によって決定される。コントローラ２１５−１から２１５−Ｎは、（信号２１６−１から２１６−Ｎを介して入手可能な）データを読み取るためにプロセッサが利用可能になるまで、シンボルをバッファするように機能する。コントローラ２１５−１から２１５−Ｎはさらに、（信号２１７−１から２１７−Ｎを介して入手可能な）バッファ内のシンボルの数についてプロセッサに通知する。この情報を用いて、プロセッサは、バッファからシンボルをいくつ読み取るべきかを基本的に知る。
【００３３】
図３は、本発明の一実施形態による、図２のＭＲＣに関する動作の方法を示すフローチャートである。より詳細には、図３のフローチャートは、ＭＲＣのインタフェース部、例えば、インタフェース２０５に関する動作の方法の一実施形態を示している。方法は、インタフェースが、パイロット・データと、シンボル・データと、シンボル・マークとを読み込むステップ３０５で開始する。例えば、６つのフィンガがスペクトル拡散受信機に含まれる一実施形態によれば、７２個のパイロット、データ・シンボル、シンボル・マークが、読み取られることができる。７２という数は、６つのフィンガの各々から１２のチャネルを読み取ることから得られる。やはり、スペクトル拡散受信機のハードウェア構成に伴って、読み取られる情報の量は変化し得るので、その量によって本発明が限定されないことを理解されたい。
【００３４】
インタフェースは、ステップ３１０で、合成器完了信号を評価し、合成器完了信号が「真」になるのを待機する。合成器完了信号が「真」になると、インタフェース２０５は、ステップ３１５で、シンボル・レディ・フラグを待機する。言及されたように、チャネル用のシンボル・レディ・フラグは、そのチャネルに関する６つのシンボル・マークすべての「ＯＲ」として決定される。従って、各チャネルに１つの、１２のシンボル・レディ・フラグが評価される。また、ステップ３１５で、合成器許可信号が、１２のシンボル・レディ・フラグすべての「ＯＲ（論理和）」として決定される。そのため、あるチャネルのシンボル・レディ・フラグが「真」になると、合成器許可信号が「真」に設定され、実行はステップ３２０に進む。
【００３５】
ステップ３２０で、出力が選択的に合成器に提供される。言及されたように、インタフェースは、出力を合成器に提供するプライオリティ・マルチプレクサを含んでいる。２つ以上のシンボル・レディ・フラグが真である場合、より高いプライオリティのチャネルが選択される。従って、例えば、チャネル１に関するシンボル・レディ・フラグが「真」であり、且つチャネル２に関するシンボル・レディ・フラグも「真」である場合、チャネル１に関するパイロットおよびシンボルが最初に、出力に回送され、合成器に送られる。その後、チャネル２に関するパイロットおよびシンボルが、出力に回送され、合成器に送られる。この方法は、必要に応じて、繰り返される。
【００３６】
図４は、本発明の別の実施形態による、図２のＭＲＣに関する動作の方法を示すフローチャートである。図４の方法は、ＭＲＣの合成器に関する動作の方法についての一実施形態を示している。合成器許可信号が「真」である場合、ＭＲＣは、ステップ４０５で、活動化される。「真」でない場合、ＭＲＣは、合成器許可信号が「真」になるまで、非活動化されたままである。合成器許可信号が「真」になったとき、方法はステップ４１０に進む。
【００３７】
ステップ４１０で、合成器は、パイロットおよびシンボル・データを読み込む。言及されたように、一実施形態では、特定のチャネルに関して、６つのパイロット・シンボルと、６つのデータ・シンボルが、読み取られる。ステップ４１５で、特定のチャネルに関して、シンボルがデローテートおよび合算される。シンボルは、各シンボルに対応するパイロット・シンボルの複素共役を乗じることによってデローテートされる。デローテートの後、特定のチャネルに関するデータ・シンボルが合算される。また、ステップ４１５で、シンボルが属していた１２の「物理チャネル」のうちの特定のチャネルについての知識を有する合成器は、結果を適切なコントローラに回送する。ステップ４２０で、合成器完了信号が「真」に設定され、合成器は非活動化され、ステップ４０５に復帰する。
【００３８】
上の記載は、本発明の原理を説明したに過ぎず、従って、本明細書では明示的に説明されていないが、本発明の原理を実施し、本発明の主旨および範囲内ある多くの代替構成を、当業者であれば考案できることが理解されよう。例えば、別個の機能要素という文脈で説明したが、これらの機能要素は、１つまたは複数の集積回路（ＩＣ）上および／または１つまたは複数のストアド・プログラム制御プロセッサ（例えば、マイクロプロセッサまたはディジタル信号プロセッサ（ＤＳＰ））内で実施することができる。同様に、ＵＭＴＳベースのシステムという文脈で説明したが、本発明の概念は、その他の通信システムに適用可能である。従って、多くの変更が、例示的な実施形態に施すことができ、その他の構成が、特許請求の範囲によって確定される本発明の主旨および範囲から逸脱することなく考案され得ることを理解されたい。
【図面の簡単な説明】
【００３９】
【図１】本明細書で開示される本発明の構成による受信機の一実施形態を示す概略図である。
【図２】図１の受信機と共に使用され得る最大比合成器（ＭＲＣ）の一実施形態を示す概略図である。
【図３】本発明の一実施形態による、図２のＭＲＣに関する動作の方法を示すフローチャートである。
【図４】本発明の一実施形態による、図２のＭＲＣに関する動作の方法を示すフローチャートである。
【図１】
2008527910.tif 000003
【図２】
2008527910.tif 000004
【図３】
2008527910.tif 000005
【図４】
2008527910.tif 000006
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
受信マルチパス信号のパスに関連するシンボルを各フィンガが提供する複数のフィンガと、
前記シンボルが利用可能であるときに前記シンボルを合成するために活動状態に入る最大比合成器（ＭＲＣ）と、
を備える、受信機。
【請求項２】
前記最大比合成器（ＭＲＣ）が、
前記複数のフィンガから前記シンボルを受け取り、前記フィンガの少なくとも１つからのシンボルが処理用に準備ができたときに通知を提供するように構成されたインタフェースと、
前記インタフェースからの前記通知に基づいて選択的に活動化される合成器であって、活動化されたときだけ、前記シンボルのうちの特定のシンボルを処理する合成器と、
を備える、請求項１に記載の受信機。
【請求項３】
前記インタフェースが、前記フィンガからのシンボルが処理用に準備ができたときを通知するシンボル・マークを受け取り、
前記インタフェースが、前記シンボル・マークを評価するためのプライオリティ・エンコーダを備える、請求項２に記載の受信機。
【請求項４】
前記プライオリティ・エンコーダが、前記合成器に送る、複数のチャネルのうちの個々のチャネルに関連するシンボルを、前記シンボル・マークの評価に従って選択する、請求項３に記載の受信機。
【請求項５】
前記プライオリティ・エンコーダが、与えられたチャネルに関するすべてのシンボル・マークの論理和演算を実行することによって、前記シンボル・マークを評価し、前記論理和演算の結果が真であるチャネルに関するシンボル・データを転送する、請求項４に記載の受信機。
【請求項６】
前記最大比合成器（ＭＲＣ）が、チップレートよりも大きいクロックレートを有する、請求項１に記載の受信機。
【請求項７】
前記受信機が、符号分割多元接続（ＣＤＭＡ）受信機である、請求項１に記載の受信機。
【請求項８】
受信機で使用する方法であって、
マルチパス信号の複数のチャネルのうちの少なくとも１つに関するデータが利用可能であるときに通知を提供するステップと、
前記通知に応答して、前記複数のチャネルのうちの少なくとも１つに関する、前記マルチパス信号の複数のパスのうちの個々のパスからの前記データをデローテートおよび合成するステップと、
を含む、前記方法。
【請求項９】
前記デローテートおよび合成するステップが、前記データの前記デローテートおよび合成を実行するための合成論理回路を選択的に活動化するステップを含む、請求項８に記載の方法。
【請求項１０】
シンボル・マーク保留信号に基づいて、前記複数のチャネルのうちのどれを処理するかを決定するステップをさらに含む、請求項９に記載の方法。
【請求項１１】
前記複数のチャネルからのデータが利用可能ではないことを通知するステップと、
合成論理回路を非活動化するステップと、をさらに含む、請求項９に記載の方法。
【請求項１２】
前記デローテートおよび合成するステップが、処理されるべき前記複数のチャネルのうちの個々のチャネルからのデータがない旨の通知を受け取るまで、前記データをデローテートおよび合成することを継続する、請求項８に記載の方法。
【請求項１３】
スペクトル拡散受信機が、符号分割多元接続（ＣＤＭＡ）受信機である、請求項８に記載の方法。
【国際調査報告】
2008527910.tif 000007
2008527910.tif 000008